(57)【要約】【課題】表示画面に各種の項目を表示させる場合の操作性を向上させた測定装置を実現することにある。【解決手段】測定装置に取り付けられた表示画面に各種項目を表示する測定装置改良を加えたものである。本装置は、表示画面に表示させる各種項目の組合せに関する情報を複数画面分記憶する配置メモリと、前記複数画面のなかから表示させる画面を選択する操作部と、この操作部の選択に基づいて、配置メモリから各種項目の組合せに関する情報を読み出し表示画面に表示させる表示処理部とを有することを特徴とするものである。【選択図】図１
2009116589.tif 000002
【特許請求の範囲】
【請求項１】
測定装置に取り付けられた表示画面に各種項目を表示する測定装置において、
前記表示画面に表示させる前記各種項目の組合せに関する情報を複数画面分記憶する配置メモリと、
前記複数画面のなかから表示させる画面を選択する操作部と、
この操作部の選択に基づいて、前記配置メモリから各種項目の組合せに関する情報を読み出し前記表示画面に表示させる表示処理部と
を有することを特徴とする測定装置。
【請求項２】
表示処理部は、
前記配置メモリから各種項目の組合せに関する情報を読み出す選択手段と、
前記操作部によって新たに指定された項目を、前記選択手段が読み出した情報に追加して前記配置メモリに格納するは配置手段と
を有することを特徴とする請求項１記載の測定装置。
【請求項３】
配置メモリは、測定装置の電源がオフまたは測定装置が再起動されても記憶した前記各種項目の組合せに関する情報を消去しないことを特徴とする請求項１または２記載の測定装置。
【請求項４】
表示処理部は、項目のパラメータが変更された場合、他の組合せで画面に表示される同一の項目のパラメータも変更して表示することを特徴とする請求項１〜３のいずれかに記載の測定装置。
【請求項５】
各種項目は、測定結果、解析結果、条件設定を少なくとも含むことを特徴とする請求項１〜４のいずれかに記載の測定装置。
【発明の詳細な説明】
【技術分野】
【０００１】
本発明は、測定装置の前面等に取り付けられた表示画面に各種項目を表示する測定装置に関し、詳しくは、表示画面に各種の項目を表示させる場合の操作性を向上させた測定装置に関するものである。
【背景技術】
【０００２】
測定装置では、測定結果や解析結果の表示、測定条件や表示条件の条件設定等を行なうために表示画面が設けられる。近年、測定装置の高機能化、多機能化によって、表示される項目（測定結果、解析結果、条件設定等）および項目中の各種パラメータが非常に多くなっている。
【０００３】
また、測定装置は小型化の要望が強く、測定装置に設けられる表示画面の大きさも制限されることが多い。そのため、全ての項目を同時に表示することは困難である。そこで、表示する項目を切り替えて表示画面に表示させることが多い（例えば、特許文献１参照）。
【０００４】
図７〜図９は、従来の測定装置の表示例を示した図である。表示画面は、図７に示すように複数の領域に分割され、メイン表示領域Ａ１は、各種項目を表示するためのものであり、選択領域Ａ２は、表示する項目を選択するためのボタンが配列されるものである。項目としては、例えば、ボタンＢ１は測定結果、ボタンＢ２は条件設定、ボタンＢ３は解析結果が対応付けられる。
【０００５】
図８は、例えば、ユーザがボタンＢ１を押した場合の表示例であり、メイン表示領域Ａ１に測定結果用の画面のウィンドウＷ１が表示されている。測定結果は、例えば、被測定対象からの信号を測定した波形表示の例を示している。
【０００６】
図９は、例えば、ユーザがボタンＢ２を押した場合の表示例であり、メイン表示領域Ａ１に条件設定用の画面のウィンドウＷ２が表示されている。条件設定としては、例えば、被測定対象に送信するテスト用の送信信号の各種パラメータである。
【０００７】
【特許文献１】特開２００３−１８５６８１号公報
【発明の開示】
【発明が解決しようとする課題】
【０００８】
このように関連性の高い機能ごとに項目をまとめ（ボタンＢ１〜Ｂ３）、ボタンＢ１〜Ｂ３を選択することによって、希望する項目のウィンドウＷ１，Ｗ２を表示画面（メイン表示領域Ａ１）に表示することができる。
【０００９】
しかしながら、例えば、測定結果のウィンドウＷ１を表示中に条件設定を行なう場合、ボタンＢ２を押して条件設定用のウィンドウＷ２を表示させ各種設定を行なう。条件設定後、ボタンＢ１を押して測定結果のウィンドウＷ１を表示させ、条件設定が適切であったかを確認する。条件設定に失敗した場合は、再度ボタンＢ２を押して設定し直し、所望の条件となるまで測定結果の画面の表示、条件設定の画面の表示を繰返す必要があった。つまり、別項目のウィンドウＷ１，Ｗ２を同時に確認することができず、ユーザの認識性が低下し、操作性が悪いという問題があった。
【００１０】
そこで本発明の目的は、表示画面に各種の項目を表示させる場合の操作性を向上させた測定装置を実現することにある。
【課題を解決するための手段】
【００１１】
請求項１記載の発明は、
測定装置に取り付けられた表示画面に各種項目を表示する測定装置において、
前記表示画面に表示させる前記各種項目の組合せに関する情報を複数画面分記憶する配置メモリと、
前記複数画面のなかから表示させる画面を選択する操作部と、
この操作部の選択に基づいて、前記配置メモリから各種項目の組合せに関する情報を読み出し前記表示画面に表示させる表示処理部と
を有することを特徴とするものである。
請求項２記載の発明は、請求項１記載の発明において、
表示処理部は、
前記配置メモリから各種項目の組合せに関する情報を読み出す選択手段と、
前記操作部によって新たに指定された項目を、前記選択手段が読み出した情報に追加して前記配置メモリに格納するは配置手段と
を有することを特徴とするものである。
請求項３記載の発明は、請求項１または２記載の発明において、
配置メモリは、測定装置の電源がオフまたは測定装置が再起動されても記憶した前記各種項目の組合せに関する情報を消去しないことを特徴とするものである。
請求項４記載の発明は、請求項１〜３のいずれかに記載の発明において、
表示処理部は、項目のパラメータが変更された場合、他の組合せで画面に表示される同一の項目のパラメータも変更して表示することを特徴とするものである。
請求項５記載の発明は、請求項１〜４のいずれかに記載の発明において、
各種項目は、測定結果、解析結果、条件設定を少なくとも含むことを特徴とするものである。
【発明の効果】
【００１２】
本発明によれば、以下のような効果がある。
表示画面に表示させる各種の項目を組合わせた情報を複数画面分、配置メモリに記憶させ、表示処理部が、操作部で選択された組合せとなる画面の情報を配置メモリから読み出し、各種項目を表示させる。これにより、ユーザが最適と思われる項目を組合せた画面に容易に切替表示でき、各種の項目を表示する測定装置の操作性を向上させることできる。
【発明を実施するための最良の形態】
【００１３】
以下図面を用いて本発明の実施の形態を説明する。
図１は、本発明の一実施例を示した構成図である。
図１において、測定部１０は、送信部１１、受信部１２、メモリ１３、処理・解析部１４を有し、被測定対象にテスト用信号の送信、被測定対象からの被測定信号の受信を行なう。送信部１１は、あらかじめ設定された条件に基づいて被測定対象にテスト用の信号を出力する。受信部１２は、あらかじめ設定された条件に基づいて被測定対象から入力された被測定信号を測定する。
【００１４】
メモリ１３は、送信部１１が送信する信号のデータ、受信部１２が受信したデータ、処理・解析部１４のデータ処理結果、解析結果、設定された各パラメータの条件等を保存する。処理・解析部１４は、メモリ１３のデータを読み出し、あらかじめ設定された条件に基づいて読み出したデータにデータ処理、データ解析を行なってメモリ１４に格納する。
【００１５】
項目メモリ２０は、項目（測定結果、解析結果、条件設定等）と領域Ａ２に表示されるボタンＢ１〜Ｂ３との対応関係を記憶する。
【００１６】
配置メモリ３０は、メイン表示領域Ａ１に表示する画面に関する情報を複数画面分記憶する。画面に関する情報とは、一または複数の項目のウィンドウの組合わせ、組合わせたウィンドウそれぞれの形状、ウィンドウ間の位置関係等である。ここで、各種項目のウィンドウを配置するための画面をワーク画面Ｗ（１）〜Ｗ（ｎ）と呼ぶ。
【００１７】
また、配置メモリ３０は、測定装置の電源がオフされたり、再起動されても、ワーク画面Ｗ（１）〜Ｗ（ｎ）の情報を保持し続ける。
【００１８】
表示メモリ４０は、表示部５０に表示するための画像イメージの表示データを記憶する。表示部５０は、測定装置の前面に取り付けられ、表示データを表示画面に表示する。
【００１９】
表示処理部６０は、選択手段６１、配置手段６２、生成手段６３を有し、メモリ１３から測定結果、データ処理結果、解析結果、各種パラメータの条件等、配置メモリ３０からワーク画面Ｗ（１）〜Ｗ（ｎ）の情報を読み出し、この情報に基づいてワーク画面Ｗ（１）〜Ｗ（ｎ）の表示データを生成し表示メモリ４０への格納、表示部５０への表示を行なう。
【００２０】
また、表示処理部６０は、項目メモリ２０の各項目、配置メモリ３０のワーク画面Ｗ（１）〜Ｗ（ｎ）の情報を読み出し、ワーク画面Ｗ（１）〜Ｗ（ｎ）の作成、編集を行ない、作成・編集したワーク画面Ｗ（１）〜Ｗ（ｎ）の情報を配置メモリ３０に格納する。
【００２１】
選択手段６１は、選択された項目、ワーク画面Ｗ（１）〜Ｗ（ｎ）の情報を読み出し、配置手段６２、生成手段６３に出力する。
【００２２】
配置手段６２は、ワーク画面Ｗ（１）〜Ｗ（ｎ）の情報の作成、編集を行ない、作成・編集したワーク画面Ｗ（１）〜Ｗ（ｎ）の情報を配置メモリ３０に格納する。
【００２３】
生成手段６３は、選択手段６１からのワーク画面Ｗ（１）〜Ｗ（ｎ）の情報、メモリ１３のデータから表示データを生成し、表示メモリ４０に格納する。
【００２４】
操作部７０は、測定部１０の各部１１、１２、１４の測定条件の設定、表示部５０、表示処理部６０への各種項目、ワーク画面Ｗ（１）〜Ｗ（ｎ）の指定等を行なう。
【００２５】
このような装置の動作を説明する。
ここで、ワーク画面Ｗ（１）は測定結果、条件設定の組合せであり、ワーク画面Ｗ（２）は測定結果のみであり、ワーク画面Ｗ（３）は解析結果、条件設定の組合せを一例として説明する。
【００２６】
操作部７０が、測定部１０の各部１１、１２，１４に対して測定条件、データ処理の条件、データ解析の条件等の各種設定を行なう。また、操作部７０が、表示部５０の表示画面からワーク画面Ｗ（１）を選択し、表示処理部６０の選択手段６１に選択結果を出力する。
【００２７】
設定終了後、操作部７０からの測定開始によって、送信部１１がメモリ１３から送信用のデータを読み出して被測定対象にテスト信号を出力する。そして、受信部１２が被測定対象からのテスト信号に対する応答信号を受信し、デジタルデータに変換してメモリ１３に格納する。さらに、処理・解析部１４が、メモリ１３のデータ処理、データ解析をし、処理結果、解析結果をメモリ１３に格納する。
【００２８】
そして、表示処理部６０の選択手段６１が、操作部７０で指定されたワーク画面Ｗ（１）の情報を配置メモリ３０から読み出し、生成手段６３に出力する。
【００２９】
そして、ワーク画面Ｗ（１）は測定結果と条件設定の項目の組合せなので、生成手段６３が、メモリ１３から測定結果、各パラメータに設定された条件を読み出し、表示データを生成し、表示メモリ４０に格納する。さらに、表示処理部６０の描画手段（図示せず）が、表示メモリ４０から表示データを読み出して、表示部５０の表示画面の更新レートにあわせて表示領域Ａ１にワーク画面Ｗ（１）（測定結果と条件設定の組合せ画面）を表示する。
【００３０】
ここで、図２は、ワーク画面Ｗ（１）が選択された場合の表示画面の表示例を示した図である。メイン表示領域Ａ１は、ワーク画面Ｗ（１）が表示される。そして、ワーク画面Ｗ（１）は、上側に測定結果のウィンドウＷ１，下側に条件設定のウィンドウＷ２が表示される。また、選択領域Ａ２には、項目を選択するボタンＢ１〜Ｂ３，ワーク画面Ｗ（１）〜Ｗ（ｎ）を選択するボタンＢｗ１〜Ｂｗ４が表示される。ここでは、ワーク画面Ｗ（１）が選択されているので、ボタンＢｗ１が他のボタンＢｗ２〜Ｂｗ４と異なる色で表示される。
【００３１】
そして、操作部７０によって他のワーク画面Ｗ（２）のボタンＢｗ２が押された場合、選択手段６０が、ボタンＢｗ２に対応するワーク画面Ｗ（２）の情報を読み出し、生成手段６３に出力する。なお、各ボタンＢｗ１〜Ｂｗ４とワーク画面Ｗ（１）〜Ｗ（４）の対応関係も、配置メモリ３０にあらかじめ格納しておく。
【００３２】
これによって、生成手段６３が、メモリ１３から測定結果を読み出し、ワーク画面Ｗ（２）の表示データを生成し、表示メモリ４０に格納する。さらに、表示処理部６０の描画手段（図示せず）が、表示メモリ４０から表示データを読み出して、表示部５０の表示画面の更新レートにあわせて表示領域Ａ１にワーク画面Ｗ（２）（測定結果のみの画面）を表示する。
【００３３】
ここで、図３は、ワーク画面Ｗ（２）が選択された場合の表示画面の表示例を示した図である。メイン表示領域Ａ１は、ワーク画面Ｗ（２）が表示される。そして、ワーク画面Ｗ（２）は、測定結果のウィンドウＷ１が表示される。また、ワーク画面Ｗ（２）が選択されているので、ボタンＢｗ２が他のボタンと異なる色で表示される。
【００３４】
さらに、操作部７０によって他のワーク画面Ｗ（３）のボタンＢｗ３が押された場合、選択手段６０が、ボタンＢｗ３に対応するワーク画面Ｗ（３）の情報を読み出し、生成手段６３に出力する。
【００３５】
これによって、生成手段６３が、メモリ１３から解析結果、各パラメータに設定された条件を読み出し、ワーク画面Ｗ（３）の表示データを生成し、表示メモリ４０に格納する。さらに、表示処理部６０の描画手段（図示せず）が、表示メモリ４０から表示データを読み出して、表示部５０の表示画面の更新レートにあわせて表示領域Ａ１にワーク画面Ｗ（３）（解析結果と条件設定の組合せ画面）を表示する。
【００３６】
ここで、図４は、ワーク画面Ｗ（３）が選択された場合の表示画面の表示例を示した図である。メイン表示領域Ａ１は、ワーク画面Ｗ（３）が表示される。そして、ワーク画面Ｗ（３）は、上側に解析結果のウィンドウＷ３，下側に条件設定のウィンドウＷ２が表示される。また、ワーク画面Ｗ（３）が選択されているので、ボタンＢｗ３が他のボタンと異なる色で表示される。
【００３７】
そして、ワーク画面Ｗ（３）の条件設定のウィンドウＷ２で、操作部７０からパラメータの設定値の変更が行なわれた場合、メモリ１３の内容も変更されると共に、ワーク画面Ｗ（１）に切り替えた場合、変更後の設定値が表示される。つまり、異なるワーク画面Ｗ（１）〜Ｗ（ｎ）上に配置される同一のウィンドウＷ２は、いずれかのワーク画面で変更が生じた場合（設定値や、表示するパラメータの種類等）、生成手段６３によって他のワーク画面に対しても同時に変更・更新が反映される。
【００３８】
次に所望の項目の組合せからなるワーク画面Ｗ（１）〜Ｗ（ｎ）を作成する動作を説明する。図２に示すワーク画面Ｗ（１）を例に説明する。ここで、図５は、ワーク画面Ｗ（１）〜Ｗ（ｎ）を作成するフローチャートである。
【００３９】
また、図６は、図１に示す装置の表示部５０の表示画面の表示例を示した図である。表示領域Ａ１に表示するためのワーク画面Ｗ（１）内のウィンドウＷ１〜Ｗ３の配置情報は、初期状態では何も存在しないため、領域Ａ１には何も表示されず、領域Ａ２には、項目を選択するボタンＢ１〜Ｂ３，ワーク画面Ｗ（１）〜Ｗ（４）を選択するボタンＢｗ１〜Ｂｗ４が表示される。
【００４０】
まず、操作部７０によって新たに作成・編集を行なう対象のワーク画面Ｗ（１）のボタンＢｗ１が操作部７０によって押され、選択手段６１が、配置メモリ３０からワーク画面Ｗ（１）の情報を読み出し、配置手段６２、生成手段６３に出力する。そして、生成手段によって作成されたワーク画面Ｗ（１）が表示部５０に表示される（図６参照）（Ｓ１０）。
【００４１】
そして、操作部７０によって、測定結果のボタンＢ１が押された場合、選択手段６１が、項目メモリ２０を参照してボタンＢ１に対応する項目（測定結果）を配置手段６２に出力する（Ｓ１１）。
【００４２】
そして、配置手段６２が、ワーク画面Ｗ（１）に配置できる項目の最大数（領域Ａ１の大きさに応じて何個でもよいが、ここでは一例として最大数を２とする）を超えていないかを判断し、超えていない場合は、項目（測定結果）のウィンドウＷ１をワーク画面Ｗ（１）全体とする配置情報を生成し、この情報を配置メモリ３０のワーク画面Ｗ（１）の情報に上書きすると共に、生成手段６３に出力する。これによって、生成手段６３が、測定結果のウィンドウＷ１が配置されたワーク画面Ｗ（１）を生成し、表示部５０に表示させる（この段階では、領域Ａ１の表示は図３に示すものと同じになる）（Ｓ１２、Ｓ１３）。
【００４３】
さらに、操作部７０によって、条件設定のボタンＢ２が押された場合、選択手段６１が、配置メモリ２０を参照して上書きされたワーク画面Ｗ（１）の情報と、項目メモリ２０を参照してボタンＢ２に対応する項目（条件設定）とを配置手段６２に出力する（Ｓ１４，Ｓ１１）。
【００４４】
そして、配置手段６２が、ワーク画面Ｗ（１）に配置できる項目の最大数を超えていないかを判断し、超えていない場合は、項目（条件設定）のウィンドウＷ２をワーク画面Ｗ（１）に配置するが、既にウィンドウＷ１が存在するので、ウィンドウＷ１を上半分、ウィンドウＷ２を下半分とする配置情報を生成し、この情報を配置メモリ３０のワーク画面Ｗ（１）の情報に再度上書きすると共に、生成手段６３に出力する。これによって、生成手段６３が、測定結果のウィンドウＷ１、条件設定のウィンドウＷ２が配置されたワーク画面Ｗ（１）を生成し、表示部５０に表示させる（図２参照）（Ｓ１２、Ｓ１３）。
【００４５】
再び、操作部７０によって、解析結果のボタンＢ３が押された場合、選択手段６１が、配置メモリ２０を参照して再上書きされたワーク画面Ｗ（１）の情報と、項目メモリ２０を参照してボタンＢ３に対応する項目（解析結果）とを配置手段６２に出力する（Ｓ１４，Ｓ１１）。
【００４６】
そして、配置手段６２が、ワーク画面Ｗ（１）に配置できる項目の最大数を超えていないかを判断し、すでに最大数を超えているので、新たな項目（解析結果）のウィンドウＷ３の追加はせずに、終了する。
【００４７】
このように、表示部５０の表示画面のメイン表示領域Ａ１に表示させるワーク画面Ｗ（１）〜Ｗ（３）の情報を複数画面分、配置メモリ３０に記憶させ、表示処理部６０が、操作部７０で選択されたワーク画面Ｗ（１）〜Ｗ（３）に関する情報を配置メモリ３０から読み出し表示データを生成して表示させる。これにより、ユーザが最適と思われる項目を組合せたワーク画面に切替表示でき、各種の項目を表示する測定装置の操作性を向上させることできる。
【００４８】
例えば、ワーク画面Ｗ（１）において測定結果のウィンドウＷ１で波形確認をしつつ、ウィンドウＷ２で効率よく条件設定が行なえ、ボタンＢｗ３を押すのみでワーク画面Ｗ（３）に切り替えでき、ワーク画面Ｗ（３）において解析結果のウィンドウＷ３で解析結果の確認をしつつ、ウィンドウＷ２で効率よく条件設定が行なえる。これにより、操作性を飛躍的に向上させることができる。
【００４９】
また、異なるワーク画面でウィンドウＷ２内の設定値の変更を行なった場合でも、生成手段６３が切替後のワーク画面に変更を反映したウィンドウＷ２を表示させるので、再度、設定値の変更を行なう必要が無く、操作性を向上させることでき、誤操作、設定ミスを防ぐことができる。
【００５０】
さらに、配置メモリ３０が、測定装置の電源がオフされたり、再起動されても、ワーク画面Ｗ（１）〜Ｗ（ｎ）の情報を保持し続けるので、測定装置を起動させた場合であっても、所望の項目を組合わせたワーク画面Ｗ（１）〜Ｗ（ｎ）で測定を開始することができる。
【００５１】
なお、本発明はこれに限定されるものではなく、以下に示すようなものでもよい。
項目を選択するボタンＢ１〜Ｂ３を３個とする構成を示したが、何個としてもよい。例えば、条件設定のボタンを複数個とし、送信部１１用の条件設定のボタン、受信部１２用の条件設定のボタン、処理・解析部１３用の条件設定のボタン、ワーク画面用の条件設定のボタン等としてもよい。同様にワーク画面のボタンＢｗ（１）〜Ｂｗ（４）も何個でもよい。
【００５２】
また、複数のウィンドウＷ１〜Ｗ３が表示される場合、各ウィンドウをワーク画面Ｗ（１）〜Ｗ（３）中で同じ大きさに表示する構成を示したが、各ウィンドウを所望の大きさとしたり、ウィンドウ同士を重ねて表示するようにし、ワーク画面中のウィンドウの配置位置、大きさはどのようなものでもよい。
【００５３】
また、複数のウィンドウＷ１〜Ｗ３が表示される場合、ウィンドウ自体の大きさに合わせ、各ウィンドウ内の文字、記号、波形等を拡大、縮小するとよい。
【００５４】
また、被測定対象にテスト信号を送信し、被測定対象から信号を受信する測定装置を一例として挙げたが、波形測定装置、電力計、スペクトラムアナライザ等、測定結果、解析結果、条件設定を表示画面に表示する測定装置であれば、どのようなものに用いてもよい。
【００５５】
また、生成手段６３が、操作部７０で選択されたワーク画面Ｗ（１）〜Ｗ（ｎ）のみの表示データを生成して表示メモリ４０の格納する構成を示したが、生成手段６３が、全てのワーク画面Ｗ（１）〜Ｗ（ｎ）の表示データを生成して表示メモリ４０に格納しておき、操作部７０で選択されたワーク画面Ｗ（１）〜Ｗ（ｎ）に対応する表示データを表示メモリ４０から読み出して表示させてもよい。
【図面の簡単な説明】
【００５６】
【図１】本発明の一実施例を示した構成図である。
【図２】図１に示す装置の表示例（ワーク画面Ｗ（１））である。
【図３】図１に示す装置の表示例（ワーク画面Ｗ（２））である。
【図４】図１に示す装置の表示例（ワーク画面Ｗ（３））である。
【図５】図１に示す装置の動作を示したフローチャートである。
【図６】図１に示す装置の表示例（初期状態のワーク画面Ｗ（１））である。
【図７】従来の測定装置の表示例である。
【図８】従来の測定装置のその他の表示例である。
【図９】従来の測定装置のその他の表示例である。
【符号の説明】
【００５７】
３０  配置メモリ
５０  表示部
６０  表示処理部
６１  選択手段
６２  配置手段
６３  生成手段
７０  操作部
【図１】
2009116589.tif 000003
【図２】
2009116589.tif 000004
【図３】
2009116589.tif 000005
【図４】
2009116589.tif 000006
【図５】
2009116589.tif 000007
【図６】
2009116589.tif 000008
【図７】
2009116589.tif 000009
【図８】
2009116589.tif 000010
【図９】
2009116589.tif 000011